(57)【要約】【課題】髪形を乱すことなく簡単に着脱して体温調節を図ることができ、しかも、ウエスト周囲のだぶつきや腕の曲げ伸ばしの窮屈感を招くことなくシャツなどとの御洒落な重ね着を楽しむことができ、また、マフラーよりも安全で落としてしまう心配もないネックウォーマーを提供する。【解決手段】首回りを包囲する筒状のネック部２と、該ネック部２の下端から前後に夫々垂れ下がって胸元及び背中上側を部分的に覆う被覆部３とから成るネックウォーマー１に関し記ネック部２の上端側を下向きに折り返してタートルネック状に形成すると共に、ネック部２及び被覆部３の前後何れか一方の側を縦方向の切断線で左右に分断し、この分断箇所におけるネック部２の折り返し部分２ａを下部開放の袋状を成すように縫着した上で分断箇所をファスナー４を介し着脱自在に閉じ合わせる。【選択図】図１
0003119765.tif 000002
【実用新案登録請求の範囲】
【請求項１】
首回りを包囲する筒状のネック部と、該ネック部の下端から前後に夫々垂れ下がって胸元及び背中上側を部分的に覆う被覆部とから成るネックウォーマーであって、前記ネック部の上端側を下向きに折り返してタートルネック状に形成すると共に、前記ネック部及び被覆部の前後何れか一方の側を縦方向の切断線で左右に分断し、この分断箇所における前記ネック部の折り返し部分を下部開放の袋状を成すように縫着した上で前記分断箇所をファスナーを介し着脱自在に閉じ合わせたことを特徴とするネックウォーマー。
【請求項２】
ネック部及び被覆部の分断箇所にファスナーの閉じ合わせ部分を被覆して隠す左右一対の襞部を形成したことを特徴とする請求項１に記載のネックウォーマー。
【請求項３】
被覆部の裾の裏側に伸び止めテープを貼着したことを特徴とする請求項１又は２に記載のネックウォーマー。
【請求項４】
被覆部が前後で同一形状を成すように形成したことを特徴とする請求項１、２又は３に記載のネックウォーマー。
【考案の詳細な説明】
【技術分野】
【０００１】
本考案は、首回りを保温するためのネックウォーマーに関するものである。
【背景技術】
【０００２】
従来より、寒い季節には、外気に晒され易い首回りを保温することで良好な防寒効果が得られることが知られており、特に寒い季節でも襟元の大きく開いたシャツなどを着用して御洒落を楽しみたい場合には、シャツの下にタートルネックセーターを重ね着したり、屋外に出る時だけマフラーを首に巻いたりすることが行われている。
【考案の開示】
【考案が解決しようとする課題】
【０００３】
しかしながら、シャツの下にタートルネックセーターを重ね着してしまうと、寒い屋外から暖房の効いた室内に入った時などに簡単にタートルネックセーターを脱ぐことができないため、暑くなってもタートルネックセーターを我慢して着続けなければならないという不具合があり、また、タートルネックセーターの重ね着によりウエスト周囲にだぶつきが生じて体形が太って見えたり、腕の曲げ伸ばしに窮屈感が生じて動き難くなるという不具合もあった。
【０００４】
しかも、タートルネックセーターを着たり脱いだりする際には、細長い筒状のネック部に頭を通さなければならないため、その度に髪形が乱れてしまって整え直さなければならないという面倒もあった。
【０００５】
他方、マフラーを首回りの防寒具として使用した場合には、暑くなった時に簡単に首から取り外せて便利であるが、首に巻き付けて余った部分が垂れ下がることで邪魔になり易く、自転車やバイクに乗っている時に車輪に絡み付いたりして危険であり、また、風に吹かれて首から落としてしまう虞れもあった。
【０００６】
本考案は上述の実情に鑑みてなしたもので、髪形を乱すことなく簡単に着脱して体温調節を図ることができ、しかも、ウエスト周囲のだぶつきや腕の曲げ伸ばしの窮屈感を招くことなくシャツなどとの御洒落な重ね着を楽しむことができ、また、マフラーよりも安全で落としてしまう心配もないネックウォーマーを提供することを目的としている。
【課題を解決するための手段】
【０００７】
本考案は、首回りを包囲する筒状のネック部と、該ネック部の下端から前後に夫々垂れ下がって胸元及び背中上側を部分的に覆う被覆部とから成るネックウォーマーであって、前記ネック部の上端側を下向きに折り返してタートルネック状に形成すると共に、前記ネック部及び被覆部の前後何れか一方の側を縦方向の切断線で左右に分断し、この分断箇所における前記ネック部の折り返し部分を下部開放の袋状を成すように縫着した上で前記分断箇所をファスナーを介し着脱自在に閉じ合わせたことを特徴とするものである。
【０００８】
而して、このようなネックウォーマーを首回りの防寒具として用いれば、寒い屋外から暖房の効いた室内に入った時などに、ファスナーにより分断箇所を切り離して髪形を乱すことなく簡単に首から取り外すことが可能であるため、タートルネックセーターをそのまま着込んでいる場合よりも体温調節を容易に行うことが可能となる。
【０００９】
しかも、このネックウォーマーのファスナーを背面側に回してシャツなどの下に着用し且つその襟元を大きく開けるようにすれば、あたかもタートルネックセーターを下に着込んでシャツなどを重ね着したかのような御洒落な雰囲気を醸し出すことが可能であり、しかも、タートルネックセーターを下に着込んだ場合のようなウエスト周囲のだぶつきや腕の曲げ伸ばしの窮屈感を招かなくても済む。
【００１０】
この際、本考案のネックウォーマーは、単にタートルネックセーターを下に着込んでいるように見せられるだけでなく、ネックウォーマーの前後を逆にしてファスナーが正面側に位置するように着用することも可能であり、このようにすれば、ファスナーの上側を少し開けておくことによって、あたかも襟付きのニットシャツを下に着込んでいるかのように見せることが可能であり、更には、ファスナーの開き位置を上げ下げすることにより襟元の見え方を調整して雰囲気を変えることも可能である。
【００１１】
他方、マフラーを使用した場合のように、首に巻き付けて余った部分が垂れ下がるといった不都合が生じないため、自転車やバイクに乗っている時に着用しても安全で、風に吹かれて首から落としてしまうといった心配も無い。
【００１２】
また、本考案においては、ネック部及び被覆部の分断箇所にファスナーの閉じ合わせ部分を被覆して隠す左右一対の襞部を形成することが好ましく、このようにすれば、ファスナーの閉じ合わせ部分が襞部に隠れて目立たなくなり、ネックウォーマーの美観がファスナーの閉じ合わせ部分により損なわれる心配が無くなる。
【００１３】
更に、本考案においては、被覆部の裾の裏側に伸び止めテープを貼着しておくことが好ましく、このようにすれば、伸び止めテープにより被覆部の裾にほつれや伸びが生じ難くなり、被覆部の裾の形状をしっかりと維持させることが可能となる。
【００１４】
また、本考案においては、被覆部が前後で同一形状を成すように形成しておくと良く、このようにすれば、ネックウォーマーのファスナーを背面側と正面側の何れに回して使用する場合においても、胸元と背中上側を同じように被覆部で覆うことができて変わらない保温効果を得ることが可能である。
【考案の効果】
【００１５】
上記した本考案のネックウォーマーによれば、下記の如き種々の優れた効果を奏し得る。
【００１６】
（Ｉ）ファスナーにより分断箇所を切り離して髪形を乱すことなく簡単に首から取り外すことができるので、ネックウォーマーを着脱する度に髪形を整え直す手間を不要とすることができ、しかも、タートルネックセーターをそのまま着込んでいる場合よりも体温調節を容易に行うことができる。
【００１７】
（ＩＩ）ファスナーを背面側に回してシャツなどの下に着用し且つその襟元を大きく開けることにより、あたかもタートルネックセーターを下に着込んでシャツなどを重ね着したかのような御洒落な雰囲気を醸し出すことができ、しかも、タートルネックセーターを下に着込んだ場合のようなウエスト周囲のだぶつきや腕の曲げ伸ばしの窮屈感を回避することができる。
【００１８】
（ＩＩＩ）ファスナーを正面側に回してシャツなどの下に着用し且つその襟元を大きく開けてファスナーの上側を少し開くことにより、あたかも襟付きのニットシャツを下に着込んでいるかのように見せることもでき、ファスナーの開き位置を上げ下げすることにより襟元の見え方を調整して雰囲気を変えることもできるので、一つのネックウォーマーで様々な御洒落のバリエーションを楽しむことができる。
【００１９】
（ＩＶ）マフラーを使用した場合のように、首に巻き付けて余った部分が垂れ下がるといった不都合が生じないため、自転車やバイクに乗っている時に着用しても安全を保つことができ、風に吹かれて首から落としてしまう虞れも未然に防止することができる。
【００２０】
（Ｖ）ネック部及び被覆部の分断箇所にファスナーの閉じ合わせ部分を被覆して隠す左右一対の襞部を形成すれば、ファスナーの閉じ合わせ部分を襞部で隠して目立たないようにすることができ、ネックウォーマーの美観がファスナーの閉じ合わせ部分により損なわれる心配を解消することができる。
【００２１】
（ＶＩ）被覆部の裾の裏側に伸び止めテープを貼着すれば、該伸び止めテープにより被覆部の裾に生じ易いほつれや伸びを防止することができ、被覆部の裾の形状をしっかりと維持させることができる。
【００２２】
（ＶＩＩ）被覆部が前後で同一形状を成すように形成すれば、ネックウォーマーのファスナーを背面側と正面側の何れに回して使用する場合においても、胸元と背中上側を同じように被覆部で覆うことができて変わらない保温効果を得ることができる。
【考案を実施するための最良の形態】
【００２３】
以下本考案の実施の形態を図面を参照しつつ説明する。
【００２４】
図１〜図７は本考案を実施する形態の一例を示すもので、ここに図示しているネックウォーマー１は、前後を逆にしても使える２ＷＡＹ商品となっており、どちらが前側に当たるかは特に決まるものではないが、以下では説明の便宜を図る観点から図１を正面図（前側から見た図）とし、図２を背面図（後側から見た図）として詳細を説明する。
【００２５】
図１及び図２に示すネックウォーマー１においては、首回りを包囲する筒状のネック部２と、該ネック部２の下端から前後に夫々垂れ下がって胸元及び背中上側を部分的に覆う被覆部３とにより構成されており、前記ネック部２は上端側を下向きに折り返したタートルネック状に形成され、前記被覆部３は前後で同一形状を成すように形成されている。
【００２６】
そして、図１の正面図に示しているネック部２及び被覆部３の前側が、縦方向の切断線により左右に分断されるようになっており（図３参照）、この分断箇所における前記ネック部２の折り返し部分２ａ（図中に小さな×印で模式的に示している部分）が下部開放の袋状を成すように縫着された上で前記分断箇所がファスナー４を介して着脱自在に閉じ合わされるようになっている。
【００２７】
ここで、図４に拡大して示す通り、前記ネック部２及び被覆部３の分断箇所においては、ファスナー４のムシ４ａ，４ａが成す閉じ合わせ部分を被覆して隠す左右一対の襞部５，５が形成されており、ファスナー４を開ける際には、該ファスナー４のスライダー４ｂが前記襞部５，５を押し拡げながら下降するようになっている。
【００２８】
尚、一般的に、この種のネックウォーマー１には、伸縮自在で保温性の高いニット素材が用いられることが多いが、ニット素材を用いた衣料品の裾はほつれや伸びが生じ易いため、特に図５で示しているように、被覆部３の裾の裏側に伸び止めテープ６を貼着しておくと良い。
【００２９】
而して、このようなネックウォーマー１を首回りの防寒具として用いれば、寒い屋外から暖房の効いた室内に入った時などに、ファスナー４により分断箇所を切り離して髪形を乱すことなく簡単に首から取り外すことが可能となり、タートルネックセーターをそのまま着込んでいる場合よりも体温調節を容易に行うことが可能となる。
【００３０】
しかも、図６に一例を示している通り、このネックウォーマー１のファスナー４を背面側に回してシャツ７などの下に着用し且つその襟元を大きく開けるようにすれば、あたかもタートルネックセーターを下に着込んでシャツ７などを重ね着したかのような御洒落な雰囲気を醸し出すことが可能であり、しかも、タートルネックセーターを下に着込んだ場合のようなウエスト周囲のだぶつきや腕の曲げ伸ばしの窮屈感を招かなくても済む。
【００３１】
また、本形態例のネックウォーマー１は、単にタートルネックセーターを下に着込んでいるように見せられるだけでなく、図７に示す如く、ネックウォーマー１の前後を逆にしてファスナー４が正面側に位置するように着用することも可能であり、このようにすれば、ファスナー４の上側を少し開けておくことによって、あたかも襟付きのニットシャツを下に着込んでいるかのように見せることが可能であり、更には、ファスナー４の開き位置を上げ下げすることにより襟元の見え方を調整して雰囲気を変えることも可能である。
【００３２】
尚、図７ではシャツ７の襟の内側にネックウォーマー１の襟元が収まるように着用しているが、該ネックウォーマー１側の襟が前記シャツ７の襟に被さるように外側へ張り出させて雰囲気を変えることも可能である。
【００３３】
従って、上記形態例によれば、ファスナー４により分断箇所を切り離して髪形を乱すことなく簡単に首から取り外すことができるので、ネックウォーマー１を着脱する度に髪形を整え直す手間を不要とすることができ、しかも、タートルネックセーターをそのまま着込んでいる場合よりも体温調節を容易に行うことができる。
【００３４】
また、ファスナー４を背面側に回してシャツ７などの下に着用し且つその襟元を大きく開けることにより、あたかもタートルネックセーターを下に着込んでシャツ７などを重ね着したかのような御洒落な雰囲気を醸し出すことができ、しかも、タートルネックセーターを下に着込んだ場合のようなウエスト周囲のだぶつきや腕の曲げ伸ばしの窮屈感を回避することができる。
【００３５】
更に、ファスナー４を正面側に回してシャツ７などの下に着用し且つその襟元を大きく開けてファスナー４の上側を少し開くことにより、あたかも襟付きのニットシャツを下に着込んでいるかのように見せることもでき、ファスナー４の開き位置を上げ下げすることにより襟元の見え方を調整して雰囲気を変えることもできるので、一つのネックウォーマー１で様々な御洒落のバリエーションを楽しむことができる。
【００３６】
また、マフラーを使用した場合のように、首に巻き付けて余った部分が垂れ下がるといった不都合が生じないため、自転車やバイクに乗っている時に着用しても安全を保つことができ、風に吹かれて首から落としてしまう虞れも未然に防止することができる。
【００３７】
しかも、特に本形態例においては、ネック部２及び被覆部３の分断箇所にファスナー４の閉じ合わせ部分（図４のムシ４ａ，４ａ同士の係合部分）を被覆して隠す左右一対の襞部５，５を形成しているので、ファスナー４の閉じ合わせ部分を襞部５，５で隠して目立たないようにすることができ、ネックウォーマー１の美観がファスナー４の閉じ合わせ部分により損なわれる心配を解消することができる。
【００３８】
更に、被覆部３の裾の裏側に伸び止めテープ６を貼着しているので、該伸び止めテープ６により被覆部３の裾に生じ易いほつれや伸びを防止することができ、被覆部３の裾の形状をしっかりと維持させることができる。
【００３９】
また、被覆部３が前後で同一形状を成すように形成してあるので、ネックウォーマー１のファスナー４を背面側と正面側の何れに回して使用する場合においても、胸元と背中上側を同じように被覆部３で覆うことができて変わらない保温効果を得ることができる。
【００４０】
尚、本考案のネックウォーマーは、上述の形態例にのみ限定されるものではなく、シャツ以外にＶネックや丸首のセーターなどを組み合わせて重ね着するようにしても良いこと、その他、本考案の要旨を逸脱しない範囲内において種々変更を加え得ることは勿論である。
【図面の簡単な説明】
【００４１】
【図１】本考案を実施する形態の一例を示す正面図である。
【図２】図１のネックウォーマーの背面図である。
【図３】図１のネックウォーマーのファスナーを開けた状態を示す正面図である。
【図４】図１のファスナーの詳細を示す拡大図である。
【図５】図３のネックウォーマーの被覆部の一部を裏返して見せた正面図である。
【図６】ネックウォーマーのファスナーを背面側に回した着用例を示す説明図である。
【図７】ネックウォーマーのファスナーを正面側に回した着用例を示す説明図である。
【符号の説明】
【００４２】
１  ネックウォーマー
２  ネック部
２ａ  折り返し部分
３  被覆部
４  ファスナー
４ａ  ムシ
４ｂ  スライダー
５   襞部
６  伸び止めテープ
７  シャツ
【図１】
0003119765.tif 000003
【図２】
0003119765.tif 000004
【図３】
0003119765.tif 000005
【図４】
0003119765.tif 000006
【図５】
0003119765.tif 000007
【図６】
0003119765.tif 000008
【図７】
0003119765.tif 000009